(57)【要約】      （修正有）【課題】専用の履物を用意することなく、また軽石等を使用して角質を削りとる場合に比べて、極めて効率良く足裏の角質を除去できる角質除去装置を提供する。【解決手段】角質除去装置１は、表面が球面状に突出した第１の角質除去部４と、第１の角質除去部４の側面に形成され、表面が凹状に形成された第２の角質除去部５と、を備える。【選択図】図１
2015134053.tif 000002
【特許請求の範囲】
【請求項１】
表面が球面状に突出した第１の角質除去部と、
該第１の角質除去部の側面に形成され、表面が凹状に形成された第２の角質除去部と、
を備えることを特徴とする角質除去装置。
【請求項２】
前記第１、第２の角質除去部は、金属腐食、又は電気鋳造、又は金属加工によって作成された研磨板であることを特徴とする請求項１に記載の角質除去装置。
【請求項３】
前記第１、第２の角質除去部によって除去された角質を収納する収納部が設けられていることを特徴とする請求項１、又は２に記載の角質除去装置。
【請求項４】
前記第１、第２の角質除去部によって除去された角質は前記第１、第２の角質除去部に設けられた穴を介して前記収納部に収納されることを特徴とする請求項３に記載の角質除去装置。
【請求項５】
前記収納部には蓋が設けられ、該蓋を開放して収納した角質を排出することを特徴とする請求項１、２、３、又は４に記載の角質除去装置。
【発明の詳細な説明】
【技術分野】
【０００１】
本発明は、足裏の角質を効率良く取り除くための角質除去装置に関する。
【背景技術】
【０００２】
一般に、足裏の皮膚は角質化しやすいものであり、角質化の進行に対して何もしないでそのままにしておくと、皮脂腺がない足裏の角質層は次第に厚く、固くなり、更に乾燥してヒビ割れが生じることもある。
【０００３】
従来足裏の角質は、軽石や凹凸を設けた金属製器具等を使用して取り除いている。一方、特許文献１は角質に木酢液を吸収させ、吸収した角質部分が剥離することから、木酢液を含む専用の履物を用意し、足裏の角質を除去する角質取りを提案する。
【先行技術文献】
【特許文献】
【０００４】
【特許文献１】特開平１１−２９２７８１号公報
【発明の概要】
【発明が解決しようとする課題】
【０００５】
しかしながら、上記特許文献１の発明では、木酢液を浸透させた防水袋が必要であり、専用の履物の作製に労力を要する。また、履物の履き心地も悪い。
【０００６】
そこで、本発明は専用の履物を用意することなく、また軽石等を使用して角質を削りとる場合に比べて、極めて効率良く足裏の角質を除去できる角質除去装置を提供するものである。
【課題を解決するための手段】
【０００７】
上記課題は第１の発明によれば、表面が球面状に突出した第１の角質除去部と、
該第１の角質除去部の側面に形成され、表面が凹状に形成された第２の角質除去部と、
を備える角質除去装置を提供することによって達成できる。
【０００８】
上記課題は第２の発明によれば、前記第１、第２の角質除去部は、金属腐食、又は電気鋳造、又は金属加工によって作成された研磨板である角質除去装置を提供することによって達成できる。
【０００９】
上記課題は第３の発明によれば、前記第１、第２の角質除去部によって除去された角質を収納する収納部が設けられている角質除去装置を提供することによって達成できる。
【００１０】
上記課題は第４の発明によれば、前記第１、第２の角質除去部によって除去された角質は前記第１、第２の角質除去部に設けられた穴を介して前記収納部に収納される角質除去装置を提供することによって達成できる。
【００１１】
上記課題は第５の発明によれば、前記収納部には蓋が設けられ、該蓋を開放して収納した角質を排出する角質除去装置を提供することによって達成できる。
【発明の効果】
【００１２】
本発明によれば、足裏の形状に合わせた角質除去装置を使用することができ、効率良く足裏の角質を取り除くことができる。また、取り除いた角質を床に落とすことなく、角質を除去することができる。
【図面の簡単な説明】
【００１３】
【図１】本実施形態の角質除去装置の斜視図である。
【図２】本実施形態の角質除去装置の正面図である。
【図３】本実施形態の角質除去装置の裏面を説明する図である。
【図４】本実施形態の角質除去装置を使用する例を説明する図である。
【図５】本実施形態の角質除去装置の蓋の取り外しを説明する図である。
【図６】本実施形態の角質除去装置を使用する例を説明する図である。
【発明を実施するための形態】
【００１４】
以下、本発明の実施形態を図面に基づいて詳細に説明する。
図１は本実施形態の角質除去装置１の斜視図である。また、図２は本例の角質除去装置１の正面図である。両図において、本例の角質除去装置１は角質除去装置の本体２と取手３で構成され、本体２の正面には角質除去部４が形成され、本体２の側面には角質除去部５が形成されている。
【００１５】
角質除去部４は球面状に形成され、角質等の気になる部分に当て易い構造である。この角質除去部４は角質層の研磨板であり、金属腐食や、電気鋳造、金属加工等の方法を使用して製造されている。これらの方法のなかで、例えば金属腐食は、単純な製造工程、低廉な費用、及び高効率という長所があり、幅広く使用することができる。尚、金属腐食を用いる場合、角質除去部４の研磨突起を如何なる形状に形成するかが重要である。
【００１６】
また、角質除去部４には一定の箇所に穴５が設けられ、この穴５を通して、角質除去部４によって削り取られた角質を本体内に収納する。したがって、本体２の内部には角質収納部６が設けられ、角質除去部４によって削り取られた角質を穴５を介して、一旦収納する。
【００１７】
また、角質除去部５は角質除去装置１の側面に形成され、凹面構造に形成されている。この角質除去部５も踵の角質を除去する目的で形成され、踵の形状に対応した構造である。また、角質除去部４には一定の箇所に穴６が設けられ、この穴６を通して、角質除去部５によって削り取られた角質を本体内に収納する。この角質除去部５も角質除去部４と同様、金属腐食や、電気鋳造、金属加工等の方法で製造される。
【００１８】
一方、取手３には握り７が設けられ、角質除去装置１を使用する際、操作を容易に行うことができる。また、取手３の上部には穴８が設けられ、本例の角質除去装置１を使用しない間、この穴８を使用して角質除去装置１を保持する。
【００１９】
図３は本例の角質除去装置１の裏面を説明する図である。同図に示すように、角質除去装置１の裏面には開口１０が設けられ、この開口１０から本体２の収納部に収納された除去角質を不図示のごみ箱等に廃棄する。通常、この開口１０は蓋１１によって閉じられている。
【００２０】
図４は本例の角質除去装置１を使用して、踵の角質を取り除く処理を説明する図である。同図に示すように、角質等の気になる部分に角質除去部４を当て、矢印方向にやさしく動かすことによって、踵の角質１２を取り除くことができる。本例の角質除去装置１の角質除去部４は前述のように球面状であり、効率良く角質を取り除くことができる。尚、角質を除去した後、例えばクリーム等で保湿を行うようにしてもよい。また、カサついた皮膚の場合にはお湯等で温めた後、角質を除去することによって、より効率良く角質を取り除くことができる。
【００２１】
また、本例の角質除去装置１では角質除去部４に一定の間隔で穴６が形成されているので、取り除かれた角質は角質除去装置１の内部に収納される。したがって、一定量の角質が溜まった際、前述の蓋１１を開けて溜まった角質を排出する。図５は蓋１１を角質除去装置１の下方から取り付ける状態を示す図である。このように構成することによって、角質を取り除く際、床に取り除いた角質を落とすことなく、処理することができる。
【００２２】
一方、図６は本例の角質除去装置１の角質除去部５を使用して、踵の角質を取り除く処理を説明する図である。この場合、踵に角質除去部５を当て、矢印方向に動かすことによって、効率良く踵の角質を取り除くことができる。この場合、角質除去部５は踵の形状に合わせた凹形状であり、より効率良く踵の角質を取り除くことができる。
【００２３】
尚、角質除去部５にも一定の間隔で穴を形成し、取り除かれた角質を角質除去装置１の内部に収納するようにしてもよい。したがって、このように構成すれば、一定量の角質が溜まった際、前述の蓋１１を開けて溜まった角質を排出し、角質を取り除く際、床に取り除いた角質を落とすことなく、処理することができる。
【００２４】
尚、上記実施形態では踵の角質除去に本例の角質除去装置１を使用したが、例えば魚の目やタコ等についても、本例の角質除去装置１を使用して軽く擦ることによって、取り除くことができる。
【符号の説明】
【００２５】
１・・・角質除去装置
２・・・本体
３・・・取手
４、５・・角質除去部
６・・・穴
７・・・握り
１０・・開口
１１・・蓋
１２・・角質
【図１】
2015134053.tif 000003
【図２】
2015134053.tif 000004
【図３】
2015134053.tif 000005
【図４】
2015134053.tif 000006
【図５】
2015134053.tif 000007
【図６】
2015134053.tif 000008